(57)【要約】【課題】天面に衝突した洗浄水を効果的に滴下することで高い洗浄性能を得る。【解決手段】本体と、前記本体に設けられるとともに洗浄水を貯水する貯水部を備えた洗浄槽と、回転しながら洗浄水を被洗浄物に噴射する洗浄手段１０と、前記洗浄手段と前記貯水部とを連結する循環経路と、前記循環経路内に設けられた洗浄ポンプと、を備え、前記洗浄手段は、略回転中心軸上に略円筒状の流路をもつタワーノズル１０ｂを備え、前記洗浄槽の天面１９には、前記洗浄手段の略回転中心軸を中心とし、洗浄手段の回転方向と逆方向に旋回する旋回曲線状を有し、洗浄手段から天面に噴射される洗浄水を誘導するリブ２１を備えたことにより、タワーノズルから噴射され天面に衝突した洗浄水を、一度に大量に滴下するようにした。【選択図】図４
2011147691.tif 000002
【特許請求の範囲】
【請求項１】
本体と、前記本体内に設けられるとともに洗浄水を貯水する貯水部を備えた洗浄槽と、前記洗浄槽内の被洗浄物に回転しながら洗浄水を噴射する洗浄手段と、前記洗浄手段と前記貯水部とを連結する循環経路と、前記循環経路内に設けられる洗浄ポンプと、を備え、筒状の流路を有するタワーノズルが前記洗浄手段の略回転中心軸上に設けられ、前記洗浄槽の天面に形成されるリブは、前記洗浄手段の略回転中心軸を中心とし、前記洗浄手段の回転方向と逆方向に旋回する旋回曲線状を有し、前記洗浄手段から前記天面に噴射される洗浄水を誘導するように形成される食器洗い機。
【請求項２】
洗浄手段は、回転方向を反転する反転手段を備えた請求項１に記載の食器洗い機。
【請求項３】
洗浄槽天面は、洗浄手段の略回転中心軸から洗浄槽側面に向かって下方に傾斜する請求項１もしくは２に食器洗い機。
【請求項４】
リブは、略回転中心軸から洗浄槽側面に向かって下方に傾斜する請求項１〜３のいずれか１項に食器洗い機。
【請求項５】
洗浄槽は、上方に開口部と前記開口部を閉塞する蓋体とを備え、天面の周縁部に水漏れ防止用の凸部を設けた請求項１〜４のいずれか１項に記載の食器洗い機。
【請求項６】
リブは、断面形状が略三角形形状である請求項１〜５のいずれか１項に記載の食器洗い機。
【請求項７】
リブは、天面に対して旋回方向の外側に傾斜させた請求項１〜５のいずれか１項に記載の食器洗い機。
【発明の詳細な説明】
【技術分野】
【０００１】
本発明は、食器の洗浄を行う食器洗い機に関するものである。
【背景技術】
【０００２】
従来、食器の洗浄を行う一般的な食器洗い機の洗浄槽天面は、図１７の洗浄槽天面の断面図および図１８の平面図ように天面１０１に下向き凸形状をしたリブ１０２を同周円上に複数設け、洗浄工程中にノズル１０３から噴射した洗浄水のうち天面１０１に付着したものをリブ先端１０３に集めて重力で落とすことにより、天面１０１へ残留する洗浄水の量を減らしてある。庫内の残水量を削減することですすぎ性能を高め、結果として洗浄性能を高めてある。（例えば特許文献１）。
【０００３】
また、図１９の断面図に示すように洗浄槽天面１０４を洗浄槽側面１０５に向けて下方に傾斜させることにより、洗浄工程中にノズルから噴射した洗浄水のうち天面１０４に付着したものを傾斜面端面１０６に集めて重力で落下させ、側面１０５を伝わせてある。これにより、天面１０４へ付着する洗浄水を直接食器に落下させないようにして乾燥性能を高めてある。（例えば特許文献２）。
【先行技術文献】
【特許文献】
【０００４】
【特許文献１】特開平９−３２７４３１号公報
【特許文献２】特開２０００−７０２０９号公報
【発明の概要】
【発明が解決しようとする課題】
【０００５】
しかしながら、上記特許文献１に記載のものでは、タワーノズルを用いて洗浄する食器洗い機においては、タワーノズルの噴射孔から噴射され同時に天面に衝突する水流が旋回曲線を描くのに対して、天面の凸形状が円周方向に沿っており、水流の形状と適合していない。これでは、凸部から一度に大量の滴下水を下方の食器に落下させることができず、食器に付着した残菜を滴下水で洗浄したりやすすいだりすることが困難である。
【０００６】
また、上記特許文献２に記載のものでは、洗浄水は天面の傾斜面に沿って下方に流れるため、傾斜面の下方端近傍は良く洗浄水が流れ、すすぐことができるが、傾斜面の上方端には洗浄水が滴下しないため上方端近傍に汚れが蓄積しやすくなってしまう。また、天面から洗浄水が滴下されないため、天面付近の食器の上面（洗浄ノズルから影になる部分）に付着した汚染を洗浄することができない。
【０００７】
本発明は、上記従来の課題を解決するもので、簡単な構造でタワーノズルから噴射され天面に衝突した洗浄水を、一度に大量に滴下することが出来るため、食器の裏面上側などのノズルから噴射した洗浄水では洗浄しにくい場所に付着した汚れも洗浄することが可能であり、洗浄性能を高めることが出来る。
【課題を解決するための手段】
【０００８】
本体と、前記本体内に設けられるとともに洗浄水を貯水する貯水部を備えた洗浄槽と、洗浄槽内の被洗浄物に回転しながら洗浄水を噴射する洗浄手段と、洗浄手段と貯水部とを連結する循環経路と、循環経路内に設けられる洗浄ポンプと、を備え、筒状の流路を有するタワーノズルが洗浄手段の略回転中心軸上に設けられ、洗浄槽の天面に形成されるリブは、洗浄手段の略回転中心軸を中心とし、洗浄手段の回転方向と逆方向に旋回する旋回曲
線状を有し、洗浄手段から天面に噴射される洗浄水を誘導するように形成されるものである。
【０００９】
これにより、簡単な構造でタワーノズルから噴射され天面に衝突した洗浄水を、一度に大量に滴下することが出来るため、食器の裏面上側などにノズルから噴射した洗浄水では洗浄しにくい場所に付着した汚れも洗浄することが可能であり、洗浄性能を高めることが出来る。
【発明の効果】
【００１０】
本発明の食器洗い機は、洗浄槽天面から効率よく洗浄水を滴下するため洗浄性能を高めることができる。
【図面の簡単な説明】
【００１１】
【図１】本発明の実施の形態１の食器洗い機の側面図
【図２】同食器洗い機の断面図
【図３】同食器洗い機の中フタの平面図
【図４】同食器洗い機の中フタの斜視図
【図５】同食器洗い機の洗浄槽内の側面図
【図６】同食器洗い機の洗浄槽内の断面図
【図７】同食器洗い機のタワーノズル近傍の断面図
【図８】同食器洗い機のタワーノズル近傍の平面図
【図９】同食器洗い機の別の例の中フタの斜視図
【図１０】同食器洗い機の別の例の中フタの断面図
【図１１】同食器洗い機の別の例の中フタの斜視図およびそのＰ−Ｐ断面図
【図１２】同食器洗い機の別の例の中フタの斜視図およびそのＱ−Ｑ断面図
【図１３】同食器洗い機の別の例の中フタの斜視図
【図１４】本発明の実施の形態２の食器洗い機の構成図
【図１５】同食器洗い機の中フタの斜視図
【図１６】同食器洗い機の中フタの平面図
【図１７】従来の食器洗い機の断面図
【図１８】従来の食器洗い機の中フタの平面図
【図１９】従来の食器洗い機の他の例の断面図
【発明を実施するための形態】
【００１２】
第１の発明は、本体と、前記本体内に設けられるとともに洗浄水を貯水する貯水部を備えた洗浄槽と、洗浄槽内の被洗浄物に回転しながら洗浄水を噴射する洗浄手段と、洗浄手段と貯水部とを連結する循環経路と、循環経路内に設けられる洗浄ポンプと、を備え、筒状の流路を有するタワーノズルが洗浄手段の略回転中心軸上に設けられ、洗浄槽の天面に形成されるリブは、洗浄手段の略回転中心軸を中心とし、洗浄手段の回転方向と逆方向に旋回する旋回曲線状を有し、洗浄手段から天面に噴射される洗浄水を誘導するように形成される。これにより、簡単な構造でタワーノズルから噴射され天面に衝突した洗浄水を、一度に大量に滴下することが出来るため、食器の裏面上側などにノズルから噴射した洗浄水では洗浄しにくい場所に付着した汚れも洗浄することが可能であり、洗浄性能を高めることが出来る。
【００１３】
第２の発明は、特に、第１の発明の洗浄手段は、回転方向を反転する反転手段を備えたことにより、第一の発明の効果に加え、旋回曲線と同じ方向に洗浄手段が回転する場合は洗浄槽側面まで洗浄水を送り滴下することができ、洗浄槽側面近傍の食器も滴下水で洗浄することができる。
【００１４】
第３の発明は、特に、第１もしくは第２の発明の洗浄槽天面は、洗浄手段の略回転中心軸から洗浄槽側面に向かって下方に傾斜させたことにより、第１もしくは第２の発明に加えて、リブのない所に付着した洗浄水が傾斜に沿って洗浄槽側面方向に流れ滴下するため、洗浄槽側面近傍の食器もより多くの滴下水で洗浄することができる。
【００１５】
第４の発明は、特に、第１〜第３の発明のリブは、略回転中心軸から洗浄槽側面に向かって下方に傾斜させたことにより、第１もしくは第２の発明に加えて、洗浄手段の回転中心より外周側のほうが多くの洗浄水が滴下するため、洗浄手段の回転中心から遠くとも、滴下水で確実に洗浄することができる。
【００１６】
第５の発明は、特に、第１〜第４の発明の洗浄槽は、上方に開口部と前記開口部を閉塞する蓋体とを備え、天面の周縁部に水漏れ防止用の凸部を設けたことにより、洗浄水が洗浄槽と天面とのシール部から漏れて槽外に洗浄水が飛散することを抑え、安全かつ洗浄水を有効活用することで所定の洗浄性能を維持することができる。
【００１７】
第６の発明は、特に、第１〜第５の発明のリブは、断面形状が略三角形形状にしたことにより、リブ側面に洗浄水が衝突することで発生する騒音を抑え、静かに食器洗い機を運転することができる。
【００１８】
第７の発明は、特に、第１〜第５の発明のリブは、天面に対して旋回方向の外側に傾斜させたことにより、簡易な構成でリブ側面に洗浄水が衝突することで発生する騒音を抑え、静かに食器洗い機を運転することができる。
【００１９】
以下、本発明の実施の形態について、図面を参照しながら説明する。なお、本実施の形態によって本発明が限定されるものではない。
【００２０】
（実施の形態１）
図１および図２に示す前方に開口する食器洗浄機本体１（固定側箱状体）において、その内側に上方に開口する洗浄槽２（可動側箱状体）が収納されている。また、洗浄槽２は、食器洗浄機本体１の両内側面に取り付けられた両固定レール３と、両固定レール３にそれぞれ滑動自在に装着された両可動レール４とから構成されるスライドレール５により前後方向に移動可能に構成されており、食器洗浄機本体１の前方開口部から引き出すことができる。
【００２１】
洗浄槽２は、樹脂成型によって形成され、スライドレール５は、図１に示すように、洗浄槽２の略下部に配置されるものである。
【００２２】
また、スライドレール５には、洗浄槽２や洗浄槽２内に配置される食器６類、洗浄行程で供給される洗浄水等の荷重が加わるので、鉄やＳＵＳ等の金属部品で形成されるものである。
【００２３】
食器洗浄機本体１は、キッチンキャビネットＡ内にビルトインするのが基本的な設置形態であるが、食器洗浄機本体１を設置場所の台上に固定して使用することも可能である。
【００２４】
洗浄槽２は、内部に食器６を配置する食器カゴ７が収納される。また、洗浄槽２内には、洗浄水を加熱する加熱手段８（例えばシーズヒータなど）が設けられており、洗浄槽底面のコーナー部に最も位置が低くなるよう貯水部２３が設けられている。
【００２５】
洗浄槽２の下面には洗浄水を加圧する洗浄ポンプ９が配置しており、洗浄ポンプ９と貯水部２３とは循環経路２３ｂとで接続される。洗浄槽２の略中央部には洗浄水を噴射する
洗浄ノズル１０が設けられており、洗浄ポンプ９と循環経路２３ｂにより接続されている。洗浄ポンプ９により加圧された洗浄水は、洗浄ノズル１０の噴射孔１１より上方に噴射される。洗浄ノズル１０は噴射圧を利用することで、略中央部の回転軸を中心に回転しながら洗浄水を噴射する。洗浄ノズル１０は略回転中心上に下ノズル１０ａと連通した略円筒状のタワーノズル１０ｂが設けられてある。
【００２６】
送風手段１５は、洗浄槽２底面前方に設けられ、乾燥行程で動作して、食器洗浄機本体１外の空気を洗浄槽２内に供給し、排気口１６より排気することで、洗浄槽２内の食器６を乾燥させる。
【００２７】
温度検知手段１７は、洗浄槽２内の洗浄水、空気および加熱手段８の温度を検知するものである。フィルタ１４は洗浄槽２に設けられており、食器６を洗浄する洗浄行程および食器６をすすぐすすぎ行程で、残さい１４ａ（食器６に汚れとして付着していた食品を残さいという）を捕集する。
【００２８】
制御装置１８は、給水弁１２が洗浄槽２内に洗浄水を供給するのを制御したり、温度検知手段１７の出力に基づいて加熱手段８を制御したりするとともに、洗浄手段９、給水弁１２、排水手段１３、送風手段１５等を制御して、洗浄、すすぎ、乾燥の一連の行程を逐次制御するよう構成している。
【００２９】
中フタ１９は、図１および図２において、周囲にパッキン２０が設けられていて、洗浄槽２が食器洗浄機本体１の所定の位置に収納されたときに、パッキン２０と洗浄槽２の上部２Ａ周囲とが接触して、洗浄槽２の上方の開口部を塞ぐものである。そして、洗浄槽２と中フタ１９との接触部に洗浄水が供給されてもパッキン２０により洗浄水が洗浄槽２外へ出て行くのを防止することができる。
【００３０】
上記構成において動作を説明すると、利用者が食器洗浄機本体１から洗浄槽２を引き出し、食器カゴ７に食器６を配置し、洗浄槽２に収納して洗剤を入れた後、洗浄槽２を食器洗浄機本体１内に収納する。そして、運転を開始すると、排水手段１３が動作して、前回の運転等で洗浄槽２内に残っている洗浄水（残水と呼ぶ）を食器洗浄機本体１外へ排出する。
【００３１】
次に、給水弁１２が動作して所定量の洗浄水を洗浄槽２に供給する。
所定量の洗浄水が供給されると、洗浄手段９により洗浄水が加圧され、洗剤とともに洗浄ノズル１０に設けた噴射孔１１から洗浄水が噴射される。詳細には、下ノズル１０ａの噴射孔１１ａから噴射された洗浄水は、下カゴ７ａに設置された食器６や食器カゴ７ａ、洗浄槽２に衝突する。衝突した洗浄水により、食器６に付着した汚染物は除去され、洗浄水は洗浄槽底面２２に落下し、貯水部２３に回収される。タワーノズル１０ｂの噴射孔１１ｂから噴射された洗浄水の一部は、上カゴ７ｂに設置された食器６に衝突することで、食器６に付着した汚染物を除去し、洗浄槽底面２３に落下する。食器６がセットされていない場所を通過した洗浄水や、食器６に衝突しない洗浄水は直接中フタ１９や洗浄槽２に衝突する。
【００３２】
こうして洗浄行程が行われる。この洗浄行程では洗浄槽２内に設けた加熱手段８に通電して、洗浄水を洗浄所定温度（例えば６０℃）まで加熱する。
【００３３】
洗浄行程が所定時間行われると、排水手段１３が食器６から洗い落とされた汚れを含む洗浄水を食器洗浄機本体１外へ排出する。そして、新たに給水弁１２が洗浄水を供給し、洗浄ノズル１０に設けた噴射孔１１から再び洗浄水が噴射されて、洗剤や残さい等で汚れた食器６をすすぐ行程を実行する。
【００３４】
このすすぎ行程が終わると、洗浄水を再び食器洗浄機本体１外へ排出する。このすすぎ行程は連続して数回繰り返される。洗浄およびすすぎ行程では、残さい１４ａは洗浄槽２に設けたフィルタ１４内に捕集される。
【００３５】
所定回数のすすぎ行程が終了すると乾燥行程が開始する。この行程では、送風手段１５が動作して食器洗浄機本体１外の空気が洗浄槽２内へ送り込まれる。送り込まれた空気は加熱手段８により加熱された後、食器６を乾燥させて排気口１６より食器洗浄機本体１外へ排出される。乾燥行程終了後、運転を終了する。
【００３６】
なお、複数回行われるすすぎ行程のうち、少なくとも１回は洗浄水を加熱手段８により加熱しながら食器３をすすぐ加熱すすぎ行程であってもよい（このとき洗浄水は例えば約７０℃まで加熱されるものであってもよい）。
【００３７】
このように構成された本実施例の詳細は、図３の中フタ１９（洗浄槽天面）の平面図および図４の中フタの斜視図に示すように、樹脂部品のリブ２１は中フタ１９の洗浄槽内側の面に中フタ１９と一体で成形される。リブ２１は洗浄槽２略中央を先端とし、洗浄ノズル１０ｂの回転方向Ｂとは逆向きに旋回する旋回曲線状を描くように形成される。リブ２１の終端は洗浄槽２と中フタ１９とのシール面（パッキン２０）よりは内側になるように構成され、先端から終端までのリブ２１の高さは一定である。また、リブ２１の断面形状は略四角形であり、同形状のものが等間隔で複数設けられている。この旋回曲線の形状はタワーノズル１０ｂと中フタ１９との距離、タワーノズル１０ｂからの噴射圧（流速）、洗浄ノズル１０の角速度、によって所定の形状に決められている。
【００３８】
以下に洗浄ポンプ９駆動中にタワーノズル１０ｂから噴射される洗浄水の流れを示し、リブ２１の形状について詳述する。
【００３９】
図７および図８に中フタ１９に衝突する洗浄水の様子を表す。図７はタワーノズル１０ｂ近傍の中フタ１９の側面図、図８はタワーノズル１０ｂ近傍の中フタ１９の平面図である。タワーノズル１０ｂの上方に設けられた略矩形状の開口部である噴射孔１１ｂから洗浄水が噴射される。図７に示すように、噴射された洗浄水は噴射孔１１から遠ざかるにつれ拡散し、中フタ１９に衝突する。この際、噴射された水流と中フタ１９との衝突面において、洗浄槽２内側（ノズル１０中心側）の縁部を内側縁部２６、洗浄槽壁面側の縁部を外側縁部２７とする。噴射孔１１ｂから中フタ１９までの距離は内側縁部２６から外側縁部２７に向かって長くなる。そのため、内側縁部２６から外側縁部２７に向かうに連れて、洗浄水噴射されてから中フタ１９に衝突するまでに必要な時間が長くなる。同時刻に噴射された水流が内側縁部２６に到達するまでの時間と、噴射孔１１と内側縁部２６とを結ぶ直線２６ａから角度θ外側に開いた噴射角度を持つ水流が中フタ１９に衝突する時間とには時間差ｔができる。このため、タワーノズル１０ｂから噴射され内側縁部２６に最短距離で衝突する水流Ｃ１と同時刻に中フタ１９に衝突する別の水流は、Ｃ１より前に噴射された水流となる。つまり、内側縁部２６より側面視で外側に角度θ離れた噴射角度を持つ水流は、時間ｔ前（ノズルの角速度をｗとするとｗ・ｔノズルの回転を戻したところ）に噴射された水流Ｃ２である。これより、タワーノズル１０ｂの噴射孔１１ｂから噴射される水流が中フタ１９に衝突する水流はノズル１０の回転方向Ｂと逆向きの旋回曲線を描くこととなる。
【００４０】
ここで、リブ２１を旋回曲線状に設けることで、タワーノズル１０ｂの噴射孔１１ｂから噴射された洗浄水が同時刻にリブ２１に衝突する。そのため、一度に大量の滴下水がリブ２１に集積され落下する。これにより、リブ２１下方にある食器６の裏面上方などの下ノズル１０ａからは食器６の影となっていて直接ノズル１０から狙うことができない場所
に付着した残さい１４ａを洗浄したりすすいだりすることができるため洗浄性能が向上する。
【００４１】
なお、本実施例ではリブの高さは一定になってあるが、図９に示すように洗浄槽の中央近傍が一番低く（高さＤ１）、外側（洗浄槽壁面側）に向かって徐々にリブ高さを高くして終端で最大になる（高さＤ２＞Ｄ１）ものでもよい。中ブタ１９の中心を中心とする同心円を描くと外側ほど円周が長いため、滴下水で狙う食器の範囲はリブ２１の外側ほど広い。そのため、上記構成にすることでリブ２１から落下する水滴は外側ほど大量になるため、より均一に洗浄が出来るため、洗浄性能が向上する。
【００４２】
また、中フタ１９の平面部（リブ２１以外の場所）も図１０の断面図に示すように中央部から外側に行くにつれ高さが増す形状でもよい。この場合は、隣接するリブ２１の間の中ブタ１９に衝突し、リブ２１に到達せずに残存した洗浄水が洗浄槽２側面近傍に誘導され滴下することで、洗浄槽側面を洗浄できる。
【００４３】
なお、本実施例ではリブ２１の断面形状を四角形にしてあるが、図１１の中フタ１９斜視図や図１２の中フタ１９斜視図のように断面形状がノズル１０の回転方向Ｂに沿った斜面を持った三角形や台形でもよい。この場合は、タワーノズル１０ｂの噴射孔１１ｂから噴射された洗浄水が、リブ２１と中フタ１９との接合面に衝突した洗浄水が接合面に留まらず斜面に添って流れるため、接合面における洗浄水同士の衝突により発生する騒音が抑えられる。
【００４４】
なお、図１３に示すように中フタ１９の周縁部はストッパー２８を備えてあることが望ましい。この場合は、中フタ１９の周縁部に衝突した洗浄水がストッパー２８に止められることで中フタ１９と洗浄槽２とのシール部に水が浸入しにくくなり、洗浄槽２外部への水漏れを防ぐことができる。
【００４５】
なお、本実施例では洗浄ノズル９を１つ設けてあるが、複数あっても良い。その場合は、各洗浄ノズル９の上方を中央とする旋回曲線状のリブを互いが干渉しないように設けてもよい（図示せず）。
【００４６】
なお、本実施例の複数あるリブ２１の長さは同じにしてあるが、隣接する長いリブ２１の間に始点が長いリブ２１より外周側にある短いリブを設けても良い。この場合はノズル回転中心より外周側でも短い間隔で洗浄水を滴下できるため、洗浄性能が均一になる。
【００４７】
また、リブには頂部（下方側）には複数の凸部（図示せず）を設けても良い。この場合は、凸部に洗浄水が集中するためより中ブタ１９から下方の食器６を狙って水滴を落下させることができるため、より洗浄性能が向上する。
【００４８】
（実施の形態２）
図１４は本発明の実施の形態２の食器洗い機の斜視図である。本実施の形態において、実施の形態１と同様の部分については同一符号を附し、その詳細な説明は省略する。
【００４９】
吐出経路２５とノズル１０との間には、流路を切り替える切り替え手段２９が設けられており、ともにノズル１０へ洗浄水を供給する。切り替え手段２９は例えばポンプ９のオン、オフによって弁体（図示せず）が動作し、流れる流路を切り替えることができる。ノズル１０には２つの流路が設けられ（図示せず）、切り替え手段２９からノズル１０に通じている２つの流路とそれぞれ接続するようになっている。洗浄水の流れる流路によってノズル９の回転方向が変化する。
【００５０】
中フタ１９には図１５の中フタ斜視図に示すようにリブ２１が設けられ、リブ２１は中フタ１９の洗浄槽内側の面に洗浄槽２略中央を中心とし、旋回曲線状を描き、断面形状が略二等辺三角形になるように中フタ１９と一体に複数設けられてある。リブ２１の終端は洗浄槽２と中フタ１９とのシール面（パッキン２０）よりは内側になるように構成され、てある。この旋回曲線の形状はタワーノズル１０ｂと中フタ１９との距離、タワーノズル１０ｂからの噴射圧（流速）、洗浄ノズル１０の角速度、によって決められる。
【００５１】
以下に洗浄ポンプ９駆動中の洗浄水の流れを示す。ポンプ９が動作することによって弁体が動作し、２つの流路のどちらか一方へ洗浄水が流れる。この時、ノズル１０がリブ２１の旋回曲線と逆向きに回転している際は、実施例１で示したように、大量の洗浄水を一度に滴下することができるので洗浄性能を高めることができる。
【００５２】
また、ポンプ９がオフされ、もう一度オンした場合に流路が切り替わり、ノズル１０の回転方向が旋回曲線と同じ方向にノズル１０は回転し、図１６中の破線Ｅ１〜Ｅ３に示すようにノズルが回転するにつれてタワーノズル１０ｂからの洗浄水は流れる。この場合は、中フタ１９の中央側から外側に向けて徐々に衝突していくため（Ｆ１〜Ｆ３）、洗浄水は外側へと流され、洗浄槽２の側面近傍（特にコーナー部）の下ノズル１０ａでは届きにくい場所にも洗浄水を効率的に大量に送ることができるため、滴下水で洗浄することができる。
【００５３】
なお、本実施例では、ポンプ９のオン、オフによって弁体を切り替えてあるが、アクチュエータ（図示せず）によって流路を切り替えてもよい。
【００５４】
また、本実施例では切り替え手段２９はポンプ９とノズル１０との間に設けてあるが、切り替え手段の場所は問わず、ノズル１０内やポンプ９内でも良い。
【産業上の利用可能性】
【００５５】
本発明の食器設置具は、洗浄槽天面からの滴下水を効率よく滴下するため高い洗浄性能を得ることができるので、食器洗い機として有用である。
【符号の説明】
【００５６】
１  本体
２  洗浄槽
６  被洗浄物
９  洗浄ポンプ
１０  洗浄手段（ノズル）
１０ｂ  タワーノズル
１９  天面（中フタ）
２１  リブ
２３  貯水部
２３ｂ  循環経路
２６  内側縁部
２８  ストッパー
Ｂ  ノズル回転方向
【図７】
2011147691.tif 000003
【図８】
2011147691.tif 000004
【図１７】
2011147691.tif 000005
【図１８】
2011147691.tif 000006
【図１９】
2011147691.tif 000007
【図１】
2011147691.tif 000008
【図２】
2011147691.tif 000009
【図３】
2011147691.tif 000010
【図４】
2011147691.tif 000011
【図５】
2011147691.tif 000012
【図６】
2011147691.tif 000013
【図９】
2011147691.tif 000014
【図１０】
2011147691.tif 000015
【図１１】
2011147691.tif 000016
【図１２】
2011147691.tif 000017
【図１３】
2011147691.tif 000018
【図１４】
2011147691.tif 000019
【図１５】
2011147691.tif 000020
【図１６】
2011147691.tif 000021